(57)【特許請求の範囲】
【請求項１】
プラスチックからなる球体の外側周囲面が光隠蔽性の高い金属被膜により覆われるとともに鏡面に形成されてなる高光隠蔽色の顔料が用いられたインクジェット記録装置用のインク。
【請求項２】
プラスチックからなる中空球体の外側周囲面が光隠蔽性の高い金属被膜により覆われるとともに鏡面に形成されてなる高光隠蔽色の顔料が用いられたインクジェット記録装置用のインク。
【請求項３】
前記球体又は中空球体が、真球又はそれに近い形状に形成された請求項１、又は２記載のインクジェット記録装置用のインク。
【請求項４】
前記球体又は中空球体が、偏平な球状に形成された請求項１、又は２記載のインクジェット記録装置用のインク。
【請求項５】
前記金属被膜の外側周囲面が、酸化防止効果、腐食防止効果又は耐水性効果の少なくとも１つ以上の効果を持つ透明な保護膜により覆われた請求項１、２、３、又は４記載のインクジェット記録装置用のインク。
【請求項６】
請求項１、２、３、４、又は５記載のインクを用いて記録媒体表面にインクジェット記録装置により高光隠蔽色の線、図、文字又は面を印刷した後、その線、図、文字又は面の少なくとも一部に、インクジェット記録装置を用いて汎用の各種のカラーインクにより、同じ線、図、文字又は面を重ねて印刷するインクジェット記録装置による印刷方法。
【請求項７】
請求項３、又は５記載の真球又はそれに近い形状をした光隠蔽性の高い顔料が用いられたインクを用いてインクジェット記録装置により記録媒体表面に高光隠蔽色の線、図、文字又は面を印刷した後、その印刷された線、図、文字又は面を加熱しながら記録媒体表面方向に押圧して、その線、図、文字又は面を構成している前記真球又はそれに近い形状をした光隠蔽性の高い顔料を偏平に押し潰すインクジェット記録装置による印刷方法。
【発明の詳細な説明】
【０００１】
【発明の属する技術分野】
本発明は、インクジェット記録装置に用いるメタリックカラー又は白色等の高光隠蔽色の線、図、文字又は面を印刷するためのインク、及び該インクによりインクジェット記録装置を用いてメタリックカラー又は白色等の高光隠蔽色の線、図、文字又は面を印刷する印刷方法に関する。
【０００２】
【従来の技術】
従来より、記録媒体の地色に対しての隠蔽力の高いメタリックカラー又は白色等の光隠蔽性の高い粒状の金属顔料が用いられたインクにより、インクジェット記録装置を用いて、シート等の記録媒体表面にメタリックカラー又は白色等の高光隠蔽色の線、図、文字又は面を印刷する方法が試みられている。
【０００３】
【発明が解決しようとしする課題】
しかしながら、上記のような、メタリックカラー又は白色等の光隠蔽性の高い粒状の金属顔料が用いられたインクでは、該インクにより、インクジェット記録装置を用いて、高品質の鮮明なメタリックカラー又は鮮やかな白色等の高光隠蔽色の線、図、文字又は面を記録媒体表面に安定して印刷することができなかった。
その原因は、その光隠蔽性の高い粒状をした金属顔料が、比重が大きいために、その使用中に、インクの溶剤中から分離して、インク下部に沈降してしまうからである。
このような課題を解決する手段として、光隠蔽性の高い金属顔料の粒径を小さくして、その金属顔料の自重を軽くし、その金属顔料が、インク下方に沈降せずに、インクの溶剤中に長期間に亙って安定して浮いた状態のままでいるようにする方法が、考えられる。
しかしながら、光隠蔽性の高い金属顔料がインクの溶剤中に長期間に亙って安定して浮いた状態のままでいるように、その金属顔料の粒径を、インクジェット記録装置用の汎用のインクの顔料とほぼ同じ、０．５μｍ以下とすると、そのメタリックカラー等の高光隠蔽色印刷用の金属顔料の持つ色が、金属光沢が失せた灰色に変化してしまったり、その白色等の高光隠蔽色印刷用の金属顔料の持つ白色等が、色失せて透明となってしまったりした。
そのために、それらの０．５μｍ以下の微小粒径の光隠蔽性の高い金属顔料が用いられたインクにより、インクジェット記録装置を用いて、記録媒体表面にメタリックカラー又は白色等の高光隠蔽色の線、図、文字又は面を印刷した場合には、その記録媒体表面に印刷される線、図、文字又は面が光沢のない色褪せた灰色又は透明に近い状態となってしまった。そして、その記録媒体表面に高品質の鮮明なメタリック光沢又は鮮やかな白色光沢等を持つ高光隠蔽色の線、図、文字又は面を美麗かつ的確に印刷できなかった。
他方、上記のように、メタリックカラー印刷用の光隠蔽性の高い金属顔料の持つメタリックカラーが、金属光沢が失せた灰色に変化してしまったり、白色印刷用の光隠蔽性の高い金属顔料の白色が、色失せて透明となってしまったりするのを防ぐためには、その金属顔料の粒径を、約２μｍ以上とすれば良いことが、実験により確認されている。
しかしながら、そのメタリックカラー印刷用の金属顔料や、その白色印刷用の金属顔料の粒径を、約２μｍ以上とした場合には、それらの金属顔料の自重が増して、それらの金属顔料が、インクの溶剤中に長期間に亙って安定して浮いた状態でいられずに、インク下部に早期に沈降してしまった。そして、それらの金属顔料が用いられたインクにより、インクジェット記録装置を用いて、記録媒体表面に高品質の鮮明なメタリック光沢又は鮮やかな白色光沢等を持つ高光隠蔽色の線、図、文字又は面を美麗かつ的確に印刷できなくなってしまった。
【０００４】
本発明は、このような課題を解消可能な、記録媒体表面に光沢のある高品質の鮮明なメタリックカラー又は高品質の鮮やかな白色等の高光隠蔽色の線、図、文字又は面を印刷できる、インクジェット記録装置用のインク、及び該インクを用いて、インクジェット記録装置により、光沢のある高品質の鮮明なメタリックカラー又は鮮やかな白色等の高光隠蔽色の線、図、文字又は面を印刷できる、インクジェット記録装置による印刷方法を提供することを目的としている。
【０００５】
【課題を解決するための手段】
上記の目的を達成するために、本発明の第１のインクジェット記録装置用のインクは、プラスチックからなる球体の外側周囲面がメタリックカラー又は白色等をした光隠蔽性の高い金属被膜により覆われるとともに鏡面に形成されてなる高光隠蔽色の顔料が用いられたことを特徴としている。
【０００６】
また、本発明の第２のインクジェット記録装置用のインクは、プラスチックからなる中空球体の外側周囲面がメタリックカラー又は白色等をした光隠蔽性の高い金属被膜により覆われるとともに鏡面に形成されてなる高光隠蔽色の顔料が用いられたことを特徴としている。
【０００７】
この第１又は第２のインクジェット記録装置用のインクにおいては、その高光隠蔽色の顔料中の大きな体積部分を占める芯材に、比重の小さいプラスチックからなる自重の軽い球体又は中空球体が用いられている。特に、中空球体は、その内部空間が比重の極めて小さい空気等の気体で占められているため、その自重が極めて軽い。
そのために、その自重の軽い球体又は中空球体の外側周囲面を覆う比重の大きい光隠蔽性の高い金属被膜を薄く形成することにより、その球体又は中空球体の外側周囲面がメタリックカラー又は白色等をした光隠蔽性の高い金属被膜で覆われてなる高光隠蔽色の顔料の自重を、同じ大きさのメタリックカラー又は白色等の高光隠蔽色の金属材料からなる金属顔料の自重に比べて、大幅に軽くできる。
そして、その自重の軽い球体又は中空球体の外側周囲面がメタリックカラー又は白色等をした光隠蔽性の高い金属被膜で覆われてなる高光隠蔽色の顔料を、インクの溶剤に長期に亙って安定して浮かせた状態のままに保持し続けることができる。
また、金属被膜は、上記のように薄く形成しても光を反射したり吸収したりする効果が落ちないため、その球体又は中空球体の外側周囲面がメタリックカラー又は白色等をした光隠蔽性の高い金属被膜で覆われてなる顔料の外観を、光沢のある高品質の鮮明なメタリックカラー又は鮮やかな白色等の高光隠蔽色に形成できる。
その結果、その球体又は中空球体の外側周囲面がメタリックカラー又は白色等をした光隠蔽性の高い金属被膜で覆われてなる自重の軽い顔料が用いられたインクにより、インクジェット記録装置を用いて、記録媒体表面に光沢のある高品質の鮮明なメタリックカラー又は鮮やかな白色等の高光隠蔽色の線、図、文字又は面を安定して印刷することが可能となる。
【０００８】
本発明の第１又は第２のインクジェット記録装置用のインクにおいては、前記メタリックカラー等の光隠蔽性の高い金属被膜で覆われた球体又は中空球体の外側周囲面を、鏡面に形成すると良い。
そして、その鏡面に形成された球体又は中空球体の外側周囲面を覆うメタリックカラー等の光隠蔽性の高い金属被膜の表面を、球体又は中空球体の平滑な外側周囲面に倣って、凹凸のない平滑面に形成すると良い。
その場合には、その平滑なメタリックカラー等の光隠蔽性の高い金属被膜表面に当たる光の乱反射を抑えて、そのメタリックカラー等の光隠蔽性の高い金属被膜を持つ顔料により、記録媒体表面に光沢のある高品質の鮮明なメタリックカラー等の高光隠蔽色の線、図、文字又は面を印刷できる。
【０００９】
他方、前記白色等の光隠蔽性の高い金属被膜で覆われた球体又は中空球体の外側周囲面は、粗面に形成すると良い。
そして、その粗面に形成された球体又は中空球体の外側周囲面を覆う白色等の光隠蔽性の高い金属被膜の表面に、球体又は中空球体の外側周囲面の凹凸形状に倣って、微細な凹凸を持たせると良い。
その場合には、その微細な凹凸を持つ白色等の光隠蔽性の高い金属被膜表面に当たる光を乱反射させて、その白色等の光隠蔽性の高い金属被膜を持つ顔料により、記録媒体表面に、高品質の鮮やかな白色等の高光隠蔽色の線、図、文字又は面を印刷したり、地色の濃い記録媒体表面に鮮やかな高光隠蔽色の線、図、文字又は面を印刷したりできる。
【００１０】
本発明の第１又は第２のインクジェット記録装置用のインクにおいては、前記球体又は中空球体を、真球又はそれに近い形状をした球に形成すると良い。
その場合には、その真球又はそれに近い形状をした球体又は中空球体を、液体中で、化学的集合法により容易かつ的確に形成できる。
【００１１】
また、本発明の第１又は第２のインクジェット記録装置用のインクにおいては、前記球体又は中空球体を、偏平な球に形成しても良い。
その場合には、その偏平な球に形成した球体又は中空球体を芯材とする高光隠蔽色の顔料の外観を、偏平な球状に形成できる。そして、その偏平な球状をした顔料を、真球又はそれに近い形状をした球体又は中空球体が芯材に用いられた真球又はそれに近い形状をした外観を持つ顔料と比べて、記録媒体表面にブロックを積み重ねる要領で隙間なく緻密に複数層に積み重ねることができる。そして、その偏平な球状をした高光隠蔽色の顔料が緻密に複数層に積み重ねられてなる光沢のある高品質の鮮明なメタリックカラー又は鮮やかな白色等の高光隠蔽色の線、図、文字又は面を、記録媒体表面に印刷できる。
【００１２】
本発明の第１又は第２のインクジェット記録装置用のインクにおいては、前記金属被膜の外側周囲面を、酸化防止効果、腐食防止効果又は耐水性効果の少なくとも１つ以上の効果を持つ透明な保護膜により覆うと良い。
その場合には、その酸化防止効果、腐食防止効果又は耐水性効果を持つ保護膜により、記録媒体表面に印刷される線、図、文字又は面を構成する高光隠蔽色の顔料に、酸化防止効果、腐食防止効果又は耐水性効果の少なくとも１つ以上の効果を持たせることができる。そして、酸化防止効果や腐食防止効果のある線、図、文字又は面であって、長期間に亙って光沢のある鮮明なメタリックカラー又は鮮やかな白色等を持ち続けることの可能な、耐久性のある高光隠蔽色の線、図、文字又は面を記録媒体表面に印刷したり、又は降雨、降雪等に耐え得る耐水性のある線、図、文字又は面であって、長期間に亙って光沢のあるメタリックカラー又は鮮やかな白色等を持ち続けることの可能な、耐久性のある高光隠蔽色の線、図、文字又は面を記録媒体表面に印刷したりできる。
また、保護膜が透明なため、その保護膜に妨害されて、その内側の金属被膜のメタリックカラーや白色等の高光隠蔽色が、保護膜の外側から見て、光沢が失われたり、色褪せて見えたりするのを、防ぐことができる。
【００１３】
本発明の第１又は第２のインクジェット記録装置用のインクにおいては、前記保護膜又はそれ以外のインクの構成材料の少なくとも１つ以上を、所定色に着色しても良い。
その場合には、その外側周囲面が所定色に着色された保護膜で覆われたメタリックカラー又は白色等の高光隠蔽色の顔料を用いて記録媒体表面に印刷するメタリックカラー又は白色等の高光隠蔽色の線、図、文字又は面を、所定色に着色できる。
あるいは、その所定色に着色されたバインダー、添加顔料、添加染料等のインクの構成材料を、記録媒体表面にメタリックカラー又は白色等の高光隠蔽色の顔料を用いて印刷するメタリックカラー又は白色等の高光隠蔽色の線、図、文字又は面上に付着させることができる。そして、その記録媒体表面に印刷する高光隠蔽色の線、図、文字又は面を、所定色に着色できる。
【００１４】
本発明の第１又は第２のインクジェット記録装置用のインクを用いた本発明の第１のインクジェット記録装置による印刷方法は、本発明の第１又は第２のインクジェット記録装置用のインクを用いて記録媒体表面にインクジェット記録装置によりメタリックカラー又は白色等の高光隠蔽色の線、図、文字又は面を印刷した後、その線、図、文字又は面の少なくとも一部に、インクジェット記録装置を用いて汎用の各種のカラーインクにより、同じ線、図、文字又は面を重ねて印刷することを特徴としている。
【００１５】
この第１のインクジェット記録装置による印刷方法においては、本発明の第１又は第２のインクジェット記録装置用のインクを用いて記録媒体表面にインクジェット記録装置により印刷したメタリックカラー又は白色等の高光隠蔽色の線、図、文字又は面の少なくとも一部を、インクジェット記録装置を用いて汎用の各種のカラーインクにより覆うことができる。そして、その本発明の第１又は第２のインクジェット記録装置用のインクを用いて印刷した高光隠蔽色の線、図、文字又は面の少なくとも一部を、その線、図、文字又は面を覆う汎用の各種のカラーインクの色に染めることができる。
【００１６】
本発明の第１又は第２のインクジェット記録装置用のインクを用いた本発明の第２のインクジェット記録装置による印刷方法は、本発明の第１又は第２のインクジェット記録装置用の真球又はそれに近い形状をした光隠蔽性の高い顔料が用いられたインクを用いてインクジェット記録装置により記録媒体表面に線、図、文字又は面を印刷した後、その印刷された線、図、文字又は面を加熱しながら記録媒体表面方向に押圧して、その線、図、文字又は面を構成している前記第１又は第２のインクジェット記録装置用のインクの真球又はそれに近い形状をした光隠蔽性の高い顔料を偏平に押し潰すことを特徴としている。
【００１７】
この第２の印刷方法においては、その記録媒体表面に印刷された線、図、文字又は面を構成している本発明の第１又は第２のインクジェット記録装置用のインクの真球又はそれに近い形状をした高光隠蔽色の顔料の外観を、偏平な球状に形成し直すことができる。そして、その偏平な球状に形成し直した顔料を、本発明の第１又は第２のインクジェット記録装置用のインクの真球又はそれに近い形状をした顔料と比べて、記録媒体表面にブロックを積み重ねる要領で隙間なく緻密に複数層に積み重ねた状態とすることができる。そして、その偏平な球状に形成し直された高光隠蔽色の顔料が緻密に複数層に積み重ねられてなる線、図、文字又は面上における光の乱反射を少なく抑えて、その記録媒体表面に印刷された線、図、文字又は面をより高品質の鮮明なメタリックカラー又は鮮やかな白色等の高隠蔽色の線、図、文字又は面に形成できる。
【００１８】
【発明の実施の形態】
図１又は図２は本発明の第１又は第２のインクジェット記録装置用のインクの好適な実施の形態を示し、図１は本発明の第１のインクジェット記録装置用のインクの顔料の断面図、図２は本発明の第２のインクジェット記録装置用のインクの顔料の断面図である。以下に、この第１又は第２のインクジェット記録装置用のインクを説明する。
【００１９】
第１のインクジェット記録装置用のインクは、図１に示したような、プラスチックからならる球体１０の外側周囲面がメタリックカラー又は白色等をした光隠蔽性の高い金属被膜２０により覆われてなる高光隠蔽色の顔料６０が用いられている。
【００２０】
他方、第２のインクジェット記録装置用のインクは、図２に示したような、プラスチックからならる中空球体１２の外側周囲面がメタリックカラー又は白色等をした光隠蔽性の高い金属被膜２０により覆われてなる高光隠蔽色の顔料７０が用いられている。
【００２１】
これらの高光隠蔽色の顔料６０、７０は、インクジェット記録装置用の汎用のインクと同様にして、水性又油性の溶剤にバインダー、添加剤などと共に添加されて、インクの溶剤中にほぼ均一に分散させて溶解されている。
図１に示した高光隠蔽色の顔料６０又は図２に示した高光隠蔽色の顔料７０が用いられた第１又は第２のインクジェット記録装置用のインクは、以上のように構成されている。
【００２２】
この第１又は第２のインクジェット記録装置用のインクにおいては、その高光隠蔽色の顔料６０、７０中の大きな体積部分を占める芯材に、比重の小さいプラスチックからなる自重の軽い球体１０又は中空球体１２が用いられている。特に、中空球体１２は、その内部空間が比重の極めて小さい空気等の気体で占められていて、その自重が極めて軽い。
そのために、その自重の軽い球体１０又は中空球体１２の外側周囲面を覆う、比重の大きい光隠蔽性の高い金属被膜２０を薄く形成することにより、その球体１０又は中空球体１２の外側周囲面がメタリックカラー又は白色等をした光隠蔽性の高い金属被膜２０で覆われてなる高光隠蔽色の顔料６０、７０の自重を、同じ大きさのメタリックカラー又は白色等の光隠蔽性の高い金属材料からならる高光隠蔽色の金属顔料の自重に比べて、大幅に軽くできる。
そして、その自重の軽い球体１０又は中空球体１２の外側周囲面がメタリックカラー又は白色等をした光隠蔽性の高い金属被膜２０で覆われてなる高光隠蔽色の顔料６０、７０を、インクの溶剤に長期に亙って安定して浮かせた状態のままに保持し続けることができる。
ちなみに、上記のようなプラスチックからなる球体１０又は中空球体１２は、ペンキ材料として広く用いられていて、液体中で化学的集合法により、容易に形成可能である。この化学的集合法により形成する球体１０又は中空球体１２は、その直径を０．１〜１．５μｍの範囲内で大小に調整形成可能である。
また、光隠蔽性の高い金属被膜２０は、薄く形成しても光を反射したり吸収したりする効果が落ちないため、その球体１０又は中空球体１２の外側周囲面がメタリックカラー又は白色等の光隠蔽性の高い金属被膜２０で覆われてなる顔料６０、７０の外観を、光沢のある高品質の鮮やかなメタリックカラー又は白色等の高光隠蔽色に形成できる。
ちなみに、図１に示した高光隠蔽色の顔料６０又は図２に示した高光隠蔽色の顔料７０の光隠蔽性の高い金属被膜２０は、その厚さを、例えば数十オングロストローム程度に極く薄く形成している。そして、その顔料６０、７０の自重を大幅に軽くしている。
メタリックカラー等の高光隠蔽色の顔料６０、７０の場合は、メタリックカラーをした金、銀、銅等の金属からなる光隠蔽性の高い金属被膜２０を、無電解めっき法、蒸着法、スパッタリング法等により、球体１０又は中空球体１２の外側周囲面に薄く形成している。
白色等の高光隠蔽色の顔料６０、７０の場合は、白色等をしたアルミニウム、タンタル、マンガン等の金属からなる光隠蔽性の高い金属被膜２０を、同じく無電解めっき法、蒸着法、スパッタリング法等により、球体１０又は中空球体１２の外側周囲面に薄く形成している。
その結果、その球体１０又は中空球体１２の外側周囲面がメタリックカラー又は白色等をした光隠蔽性の高い金属被膜２０で覆われてなる顔料６０、７０が用いられたインクにより、インクジェット記録装置を用いて、記録媒体表面に光沢のある高品質の鮮明なメタリックカラー又は鮮やかな白色等の高光隠蔽色の線図を印刷することが可能となる。
【００２３】
この第１又は第２のインクジェット記録装置用のインクに用いる、メタリックカラー等の高光隠蔽色の顔料６０、７０を形成する場合には、そのメタリックカラー等の光隠蔽性の高い金属被膜２０で覆われた球体１０又は中空球体１２の外側周囲面を、図１又は図２に示したように、平滑な鏡面１６に形成すると良い。
そして、その鏡面１６に形成された球体１０又は中空球体１２の外側周囲面を覆うメタリックカラー等の光隠蔽性の高い金属被膜２０の表面を、球体１０又は中空球体１２の平滑な外側周囲面に倣って、凹凸のない平滑面２６に形成すると良い。そして、その平滑なメタリックカラー等の光隠蔽性の高い金属被膜２０表面に当たる光の乱反射を抑えて、そのメタリックカラー等の光隠蔽性の高い金属被膜２０を持つ顔料６０、７０により、記録媒体表面に光沢のある高品質の鮮明なメタリックカラー等の高光隠蔽色の線、図、文字又は面を印刷できるようにすると良い。
【００２４】
他方、この第１又は第２のインクジェット記録装置用のインクに用いる、白色等の高光隠蔽色の顔料６０、７０を形成する場合には、その白色等の光隠蔽性の高い金属被膜２０で覆われた球体１０又は中空球体１２の外側周囲面を、図３と図４に示したように、微細な凹凸のある粗面１４に形成すると良い。そして、その粗面１４に形成された球体１０又は中空球体１２の外側周囲面を覆う白色等の光隠蔽性の高い金属被膜２０の表面に、球体１０又は中空球体１２の外側周囲面の微細な凹凸に倣って、微細な凹凸２４を持たせると良い。そして、その微細な凹凸２４を持つ白色等の光隠蔽性の高い金属被膜２０表面に当たる光を的確に乱反射させて、その白色等の光隠蔽性の高い金属被膜２０を持つ顔料６０、７０により、記録媒体表面に光沢のある高品質の鮮やかな白色等の高光隠蔽色の線、図、文字又は面を印刷したり、地色の濃い記録媒体表面に鮮やかな高光隠蔽色の線、図、文字又は面を印刷したりできるようにすると良い。
【００２５】
また、この第１又は第２のインクジェット記録装置用のインクにおいては、球体１０又は中空球体１２を、図１、図２、図３又は図４に示したように、真球又はそれに近い形状をした球に形成すると良い。そして、その真球又はそれに近い形状をした球体１０又は中空球体１２を、前述のように、液体中で化学的集合法により容易かつ的確に形成できるようにすると良い。
【００２６】
又は、この第１又は第２のインクジェット記録装置用のインクにおいては、図５又は図６に示したように、球体１０又は中空球体１２を、偏平な球状に形成しても良い。そして、その偏平な球状に形成した球体１０又は中空球体１２を芯材とする顔料６０、７０の外観を、図５又は図６に示したように、偏平な球状に形成しても良い。そして、その偏平な球状をした顔料６０、７０を、図１、図２、図３又は図４に示したような、真球又はそれに近い形状をした球体１０又は中空球体１２が用いられた真球又はそれに近い形状をした外観を持つ顔料６０、７０と比べて、図７に示したように、記録媒体１００表面にブロックを積み重ねる要領で隙間なく緻密に複数層に積み重ねることができるようにしても良い。そして、その偏平な球状をした高光隠蔽色の顔料６０、７０が緻密に複数層に積み重ねられてなる線、図、文字又は面上における光の乱反射を少なく抑えて、その偏平な球状をした顔料６０、７０が緻密に複数層に積み重ねられてなる光沢のある高品質の鮮明なメタリックカラー又は鮮やかな白色等の高光隠蔽色の線、図、文字又は面を記録媒体１００表面に印刷できるようにしても良い。
【００２７】
また、この第１又は第２のインクジェット記録装置用のインクにおいては、図８、図９、図１０又は図１１に示したように、金属被膜２０の外側周囲面を、酸化防止効果、腐食防止効果又は耐水性効果の少なくとも１つ以上の効果を持つプラスチック等からなる透明な保護膜３０により覆っても良い。そして、その酸化防止効果、腐食防止効果又は耐水性効果を持つ保護膜３０により、記録媒体表面に印刷される線、図、文字又は面の高光隠蔽色の顔料６０、７０に、酸化防止効果、腐食防止効果又は耐水性効果の少なくとも１つ以上の効果を持たせても良い。そして、酸化防止効果や腐食防止効果のある線、図、文字又は面であって、長期間に亙って光沢のある鮮明なメタリックカラー又は鮮やかな白色等の高光隠蔽色を持ち続けることの可能な、耐久性のある線、図、文字又は面を記録媒体表面に印刷したり、又は降雨、降雪等に耐え得る耐水性のある線、図、文字又は面であって、長期間に亙って光沢のあるメタリックカラー又は鮮やかな白色等の高光隠蔽色を持ち続けることの可能な、耐久性のある線、図、文字又は面を記録媒体表面に印刷したりできるようにしても良い。
その際には、保護膜３０が透明なため、その保護膜３０に妨害されて、その内側の金属被膜２０のメタリックカラー又は白色等の高光隠蔽色が、保護膜３０の外側から見て、その光沢が失われたり、色褪せて見えたりする恐はない。
【００２８】
また、この第１又は第２のインクジェット記録装置用のインクにおいては、上記の保護膜３０又はそれ以外のインクの構成材料の少なくとも１つ以上を、着色顔料等を用いて所定色に着色しても良い。そして、その外側周囲面が所定色に着色された保護膜３０で覆われたメタリックカラー又は白色等の高光隠蔽色の顔料６０、７０により、記録媒体表面に印刷するメタリックカラー又は白色等の高光隠蔽色の線、図、文字又は面を、所定色に着色しても良い。
あるいは、その所定色に着色されたバインダー、添加顔料、添加染料等のインクの構成材料８０を、図１２に示したように、記録媒体１００表面にメタリックカラー又は白色等の高光隠蔽色の顔料６０、７０を用いて印刷するメタリックカラー又は白色等の高光隠蔽色の線、図、文字又は面１１０上に付着させても良い。そして、その記録媒体１００表面に印刷する線、図、文字又は面を、所定色に着色しても良い。
【００２９】
次に、本発明の第１又は第２のインクジェット記録装置のインクを用いた本発明の第１のインクジェット記録装置による印刷方法の好適な実施の形態を説明する。
【００３０】
この第１の印刷方法では、図１３に示したように、前述の第１又は第２のインクジェット記録装置用のインクを用いて記録媒体１００表面にメタリックカラー又は白色等の高光隠蔽色の顔料６０、７０を複数層に積み重ねてなる線、図、文字又は面１１０を印刷した後、その線、図、文字又は面１１０の少なくとも一部に、インクジェット記録装置を用いて汎用の各種のカラーインクにより、同じ線、図、文字又は面１２０を重ねて印刷している。
【００３１】
この第１のインクジェット記録装置による印刷方法は、以上の工程からなり、この第１の印刷方法においては、図１３に示したように、第１又は第２のインクジェット記録装置用のインクを用いて記録媒体１００表面にインクジェット記録装置により印刷したメタリックカラー又は白色等の高光隠蔽色の線、図、文字又は面１１０の少なくとも一部を、インクジェット記録装置を用いて汎用のカラーインクにより印刷された線、図、文字又は面１２０により覆うことができる。そして、その第１又は第２のインクを用いて描いたメタリックカラー又は白色等の高光隠蔽色の線、図、文字又は面１１０の少なくとも一部を、その表面に重ねて印刷された線、図、文字又は面１２０の汎用の各種のカラーインクの顔料の色に似た各種のメタリックカラー又は色の高光隠蔽色に染めることができる。
【００３２】
次に、本発明の第１又は第２のインクジェット記録装置のインクを用いた本発明の第２のインクジェット記録装置による印刷方法の好適な実施の形態を説明する。
【００３３】
この第２の印刷方法では、図１４に示したように、真球又はそれに近い形状の球体１０又は中空球体１２を用いて形成された、真球又はそれに近い形状をした高光隠蔽色の顔料６０、７０が用いられた第１又は第２のインクを用いて、インクジェット記録装置により記録媒体１００表面に線、図、文字又は面１１０を印刷した後、同じ図１４に示したように、その線、図、文字又は面１１０を構成している高光隠蔽色の顔料６０、７０を、ヒータ等で加熱して軟化させながら、その線、図、文字又は面１１０が印刷された記録媒体１００表面をローラ１３０等を転動させて、そのローラ１３０等により、線、図、文字又は面１１０を記録媒体１００表面方向に押圧している。そして、その線、図、文字又は面１１０を構成している第１又は第２のインクジェット記録装置用のインクの真球又はそれに近い形状をした高光隠蔽色の顔料６０、７０を、図１５に示したように、偏平に押し潰している。
【００３４】
この第２のインクジェット記録装置による印刷方法は、以上の工程からなり、この第２の印刷方法においては、その記録媒体１００表面に印刷された線、図、文字又は面１１０を構成している第１又は第２のインクジェット記録装置用のインクの真球又はそれに近い形状をした高光隠蔽色の顔料６０、７０を、偏平な球状に形成し直すことができる。そして、その偏平な球状をした顔料６０、７０を、第１又は第２のインクジェット記録装置用のインクの真球又はそれに近い形状をした顔料６０、７０と比べて、図１５に示したように、記録媒体１００表面にブロックを積み重ねる要領で隙間なく緻密に複数層に積み重ねた状態とすることができる。そして、その偏平な球状をした高光隠蔽色の顔料６０、７０が緻密に複数層に積み重ねられてなる線、図、文字又は面１１０上における光の乱反射を少なく抑えて、その記録媒体１００表面に印刷された線、図、文字又は面１１０をより光沢のある高品質の鮮明なメタリックカラー又は鮮やかな白色等の高光隠蔽色の線、図、文字又は面に形成できる。
【００３５】
【発明の効果】
以上説明したように、本発明の第１又は第２のインクジェット記録装置用のインクによれば、該インクにより、インクジェット記録装置を用いて、シート等の記録媒体表面に光沢のある高品質の鮮明なメタリックカラー又は鮮やかな白色等の高光隠蔽色の線、図、文字又は面を安定して容易かつ的確に印刷できる。
また、本発明の第１又は第２のインクジェット記録装置用のインクを用いた本発明の第１のインクジェット記録装置による印刷方法によれば、本発明の第１又は第２のインクジェット記録装置用のインクを用いて記録媒体表面に印刷するメタリックカラー又は白色等の高光隠蔽色の線、図、文字又は面を、各種のメタリックカラー又は色の高光隠蔽色に染めることができる。
また、本発明の第１又は第２のインクジェット記録装置用のインクを用いた本発明の第２のインクジェット記録装置による印刷方法によれば、本発明の第１又は第２のインクジェット記録装置用のインクを用いて記録媒体表面に印刷したメタリックカラー又は白色等の高光隠蔽色の線、図、文字又は面を、より光沢のある高品質の鮮明なメタリックカラー又は鮮やかな白色等の高光隠蔽色の線、図、文字又は面に形成できる。
【図面の簡単な説明】
【図１】本発明の第１のインクジェット記録装置用のインクの顔料の断面図である。
【図２】本発明の第２のインクジェット記録装置用のインクの顔料の断面図である。
【図３】本発明の第１のインクジェット記録装置用のインクの顔料の断面図である。
【図４】本発明の第２のインクジェット記録装置用のインクの顔料の断面図である。
【図５】本発明の第１のインクジェット記録装置用のインクの顔料の断面図である。
【図６】本発明の第２のインクジェット記録装置用のインクの顔料の断面図である。
【図７】本発明の第１又は第２のインクジェット記録装置用のインクを用いて記録媒体表面に高光隠蔽色の線、図、文字又は面を印刷した状態の説明図である。
【図８】本発明の第１のインクジェット記録装置用のインクの顔料の断面図である。
【図９】本発明の第２のインクジェット記録装置用のインクの顔料の断面図である。
【図１０】本発明の第１のインクジェット記録装置用のインクの顔料の断面図である。
【図１１】本発明の第２のインクジェット記録装置用のインクの顔料の断面図である。
【図１２】本発明の第１又は第２のインクジェット記録装置用のインクを用いて記録媒体表面に高光隠蔽色の線、図、文字又は面を印刷した状態の説明図である。
【図１３】本発明の第１のインクジェット記録装置による印刷方法の説明図である。
【図１４】本発明の第２のインクジェット記録装置による印刷方法の説明図である。
【図１５】本発明の第２のインクジェット記録装置による印刷方法の説明図である。
【符号の説明】
１０  球体
１２  中空球体
１４  粗面
１６  鏡面
２０  光隠蔽性の高い金属被膜
２４  微細な凹凸
２６  平滑面
３０  保護膜
６０、７０  高光隠蔽色の顔料
８０  インクの構成材料
１００  記録媒体
１１０、１２０  線、図、文字又は面
１３０  ローラ
【図１】
0004864200.tif 000002
【図２】
0004864200.tif 000003
【図３】
0004864200.tif 000004
【図４】
0004864200.tif 000005
【図５】
0004864200.tif 000006
【図６】
0004864200.tif 000007
【図７】
0004864200.tif 000008
【図８】
0004864200.tif 000009
【図９】
0004864200.tif 000010
【図１０】
0004864200.tif 000011
【図１１】
0004864200.tif 000012
【図１２】
0004864200.tif 000013
【図１３】
0004864200.tif 000014
【図１４】
0004864200.tif 000015
【図１５】
0004864200.tif 000016